(57)【要約】  【課題】イヤホンのコードを巻き取る器具は既にいろいろ有るが、それらはコードを剥き出しにしたまま保管するので、コードを痛めて電気的な接触不良を来す危険があり、またサイズが大きくかさばる原因となり、本発明ではイヤホンコードを収納構造にしてコードの破損を防ぎつつ、コードをコンパクトに巻きつけた状態で保管できるようにする。  【解決手段】一対のリールに巻き取ったイヤホンコードを、軟質シートで二つ折りや環状に覆った状態に着脱する構造であるため、イヤホンコードを損傷や断線から保護すると共に絡まりを防止でき、かつ小型化とコストダウンができる。【選択図】図９
2011211469.tif 000002
【特許請求の範囲】
【請求項１】
イヤホンコードの巻き付け具を内面に有する軟質シートに、前記巻き付け具を内側にして二つ折り又は環状に連結するための着脱手段を有することを特徴とするイヤホンコード巻き付け収納装置。
【請求項２】
前記の巻き付け具が、一対のリール又はクランク状体であり、溶着、接着又は加締めなどの固着手段によって前記の軟質シート内面に取り付け固定されていることを特徴とする請求項１に記載のイヤホンコード巻き付け収納装置。
【請求項３】
前記の軟質シートに、イヤホンコードのプラグを挿通するための切れ込み及び／又は孔を開けると共に、前記軟質シートの端縁から切れ込みを入れて、イヤホンコードを狭持可能としたことを特徴とする請求項１または請求項２に記載のイヤホンコード巻き付け収納装置。
【発明の詳細な説明】
【技術分野】
【０００１】
本発明は、イヤホンコードをポケットや鞄などに収納したときの絡まりの防止や保管に便利なイヤホンコード巻き付け収納装置に関する。
【背景技術】
【０００２】
一般にイヤホンコードの収納方法としては、イヤホンコードを束ね直接ポケットや鞄などに入れる事が多い。または、イヤホンコードを携帯用オーディオプレイヤーなどに巻き付けたままポケット等に収納している。
このような収納では、イヤホンコードが絡まり、使用したいときすぐに使用できず、ほどくのに苦労したり、イヤホンコードがむき出しの状態であるため、イヤホンコードを傷つけたり、断線させたりする恐れがある。
【先行技術文献】
【特許文献】
【０００３】
【特許文献１】実用新案登録第３１１３４６５号
【発明の概要】
【発明が解決しようとする課題】
【０００４】
これに対し、特許文献１のように携帯用オーディオプレーヤーの収納ケース外面に取り付けられた４つの支持部材にイヤホンコードを巻き付ける方法では、絡まりは防止できるが、イヤホンコード自体がむき出しの状態になっていて、コードを傷つけたり、断線させたりする恐れがあり、見栄えも良くない。また、携帯用オーディオプレイヤーの収納ケースとしての役割も兼ねているので、携帯用オーディオプレイヤーの種類に合わせたサイズに製作しなければならず、そのぶんコストがかかり、かつ大型になってしまう。
【０００５】
本発明はこのような問題に着目し、イヤホンコードを巻き付けるリールのような巻きつけ具を合成樹脂などの軟質シートの内面に取り付け、リールなどにイヤホンコードを巻き付けることでイヤホンコードの絡まりを防止すると共に、軟質シートを折ってカバーすることで、イヤホンコードの損傷や断線の防止を可能とする。
【課題を解決するための手段】
【０００６】
請求項１は、イヤホンコードの巻き付け具を内面に有する軟質シートに、前記巻き付け具を内側にして二つ折り又は環状に連結するための着脱手段を有することを特徴とするイヤホンコードの巻き付け収納装置であり、巻き付け具にイヤホンコードを巻き付けた状態となるので、絡まることはなく、またイヤホンコードを巻き付けた状態の巻き付け具を内側にして二つ折りや環状に連結するので、イヤホンコードを保護して、損傷や断線を防止できる。
【０００７】
請求項２は、前記の巻き付け具が、一対のリール体又はクランク状であり、溶着、接着又は加締めなどの固着手段によって前記の軟質シート内面に取り付け固定されていることを特徴とする請求項１に記載のイヤホンコードの巻き付け収納装置であって、間隔を置いて設けた一対のリールやクランク体にイヤホンコードを巻き付けるので、特許文献１のように機器収納ケース外面で４か所に巻き付ける構造に比べて、小型化されると共に、イヤホンコードが露出することも無く、見栄えがよい。
【０００８】
請求項３は、前記の軟質シートに、イヤホンコードのプラグを挿通するための切れ込み及び／又は孔を開けてあるので、プラグを外に出した状態でイヤホンコードを軟質シート内に収納でき、しかもプラグを機器に素速く差し込んでの使用が可能で、操作が簡便である。また、前記軟質シートの端縁から切れ込みを入れて、イヤホンコードを狭持可能にしたので、イヤホンコードを解いて使用する際のイヤホンコードの緩みを防止することができる。
【発明の効果】
【０００９】
このように本発明は、イヤホンコードを一対のリールに巻き付けることによって、イヤホンコードが絡まないようにし、かつ巻き付けたイヤホンコードを覆うように軟質シートを二つ折りにして、軟質シート両端についている着脱手段で連結するので、イヤホンコードを損傷や断線から防ぐことができ、見栄えも良くなる。
更に、特許文献１の記載とは異なり、イヤホンコードの巻き付け収納専用であるから、携帯用オーディオプレイヤーの大きさや形状と関係なく使用できると共に、一対の巻き付け手段に巻き付けるので、小型簡素化でき、製造コストも低減できる。
【図面の簡単な説明】
【００１０】
【図１】軟質シートを開いた状態の平面図（内面）である。
【図２】軟質シートを開いた状態の底面図である。
【図３】図１のＡ−Ａ断面図である。
【図４】軟質シートを開き、プラグを挿通した斜視図である。
【図５】図４のイヤホンコードをリールに巻き付けた斜視図である。
【図６】図５の軟質シートを二つに折って、両端を着脱手段で連結した斜視図である。
【図７】図６の二つ折り連結状態の右側面図である。
【図８】図５のイヤホンコードを必要な分だけ解いた状態の斜視図である。
【図９】図８の軟質シートを二つに折って、両端を着脱手段で連結した斜視図である。
【図１０】図９の二つ折り連結状態の右側面図である。
【図１１】図１のリールをクランク状体に変更した斜視図である。
【図１２】図１１の軟質シートを二つに折って、両端を着脱手段で連結した断面図である。
【図１３】軟質シートの両端表裏に着脱手段を設置し、上部フランジを半円状にした平面図である。
【図１４】図１３の軟質シートを環状に連結した状態の斜視図である。
【図１５】図１４の環状連結状態の右側面図である。
【発明を実施するための形態】
【００１１】
本発明によるイヤホンコード巻き付け収納用の軟質シート５は、図１の平面図のように例えば四角形状に形成されている。軟質シート５は折り曲げ可能なシート状の素材で、軟質の合成樹脂やゴム板、厚めの布、丈夫な紙、皮革といった素材が考えられる。軟質シート５には、イヤホンコードを巻き付けるための一対のリール１、２と、プラグを挿通するためのプラグ挿通孔ｈがある。
プラグ挿通孔ｈは、十字や一字といった切れ込みや○、△、□形状の孔などいろいろ考えられるが、十字や一字の切れ込みだけにすると、イヤホンコードを軟質シート５の弾力で安定よく狭持できる。さらに、軟質シート５の内面両端には、二つに折って連結するための着脱手段３、４として、マジックテープ（登録商標）などの面接着テープ、永久磁石片や磁性体片、ドットボタン（ホック）、フック状の引っ掛け手段などを取り付け固定しておく。
【００１２】
本発明の軟質シート５を開いた状態で、底面から見ると図２のような構成になっている。図２では、固着部付きリール１、２の固着用フランジ下部１ｅ、２ｅが鳩目状に固定された例である。固着部付きリール１、２の鳩目状の固着構造は、図３の断面図のとおりである。
一対の固着部付きリール１、２は、フランジ１ａ、２ａと固着用フランジ上部１ｃ、２ｃ間のリール部１ｂ、２ｂにイヤホンコードを巻き付けるもので、固着用フランジ上部１ｃ、２ｃから突出した挿入用小径部１ｄ、２ｄを軟質シート５の取り付け孔に挿入して前記挿入用小径部１ｄ、２ｄを押し広げて加締めると、図３のように、加締め部１ｅ、２ｅと固着用フランジ上部１ｃ、２ｃ間に軟質シート５を挟んだ状態で固定される。固着部付きリール１、２は、必ずしも軟質シート５を貫通して固定する必要はなく、イヤホンコードが固着部付きリール１、２に巻き付けられるように所定の間隔Ｄをおいて軟質シート５に接着される構造でもよい。
固着部付きリール１、２の素材としては、金属や合成樹脂などの素材が考えられる。金属製の場合の取り付け方法としては、リベットや鳩目状の加締めなどがあり、合成樹脂製の場合は、加熱溶着や接着剤による接着などが考えられる。
【００１３】
本発明装置の使用に際しては、先ず、図４のように、軟質シート５を拡げて、内側からプラグ挿通孔ｈにプラグｐを挿通し、外側に押し出す。次に、図５のように図４のイヤホンコードｋをリール１、２にまたがって巻き付け、巻き付けたイヤホンコードｋのすき間にイヤホンｉを挿入し挟んでおく。保管時を示す図６は、図５のように一対のリール１、２にイヤホンコードを巻いた状態で、軟質シート５でイヤホンコードｋが包み込まれるように二つに折った状態で、両端の着脱手段３、４で連結した状態である。
このようにイヤホンコードｋを軟質シート５内に収納した状態でポケットや鞄などに入れる事により絡まりが防止され、なおかつ損傷や断線を防ぐことができる。図６のように軟質シート５を二つに折って、その両端の着脱手段３、４で連結した右側面図が図７であり、リール１、２に巻かれたイヤホンコードｋが軟質シート５内に収納保護される。
【００１４】
携帯用オーディオプレイヤーに装着して使用する際には、図８のように全部のイヤホンコードｋをリール１、２に巻き付けないで、使いやすいように必要な長さだけ解いておくと便利である。
イヤホンコードｋを必要な長さだけ、リール１、２から解いてから、図９のように軟質シート５を再度二つ折りにして、着脱手段３、４で連結し、イヤホンコードｋを一部だけ二つ折り軟質シート５から出した状態で、プラグｐを携帯用オーディオプレイヤーに差し込み、イヤホンｉを耳に入れて使用できる。
【００１５】
図９のように、解いたイヤホンコードｋを二つ折りの軟質シート５中から出しただけだと、解いたイヤホンコードｋが緩んだりするので、図８のように軟質シート５の端縁に設けた切れ込み１０中に、解いたイヤホンコードｋを挿入しておくと、軟質シート５の弾力で狭持され、安定する。
なお、切れ込み１０の内端に円形の小孔１１を開けておくと、切れ込み１０が破れ難いし、小孔１１をイヤホンコードｋより小径にしておくと、この小孔１１でイヤホンコードｋを安定保持させることもできる。
【００１６】
反対側の端縁にも切れ込み１０や小孔１１を設けておくと、使用しないプラグｐを軟質シート５の外側に出しっぱなしにしないで、そのイヤホンコードｋをＵ字状に折り曲げて、切り込み１０中に挟んだ状態で、軟質シート５内にプラグｐを安定よく収納することもできる。
更に、軟質シート５に別のプラグ挿通孔ｈ２を開けておくと、プラグ挿通孔ｈ１以外の場所でもイヤホンコードを通すことができるので、プラグ挿通孔は、単独でも複数でもよい。
図１０は、図９の二つ折り連結状態の右側面図で、実際に使用する場合にはこのようにイヤホンコードｋを解いて所要長さを出した形で使用すると、便利である。
【００１７】
固着部付きリール１、２の代用として、図１１のようなクランク状体６、７の使用も可能である。一対のクランク状体６、７は、間隔ｄだけ離して、軟質シート５内面に固定してもよいが、鎖線のように一体化して一枚の帯板の両端をクランク状に曲げてもよい。
固着部付きリール１、２やクランク状体６、７の軟質シート５への取り付けは、リベット８、９などを用いたり、軟質シート５に縫い付けたり、接着剤で接着するなど、鳩目状加締め以外の取り付け方法も考えられる。
図１１の軟質シート５を二つに折って、両端の着脱手段３、４で連結すると、図１２のような二つ折り状態となり、イヤホンコードｋは、クランク状体６、７の先端と軟質シート５間の立ち上がり部６ｂ、７ｂに巻き付けて収納することになる。なお、イヤホンコードｋは、断面を表示してある。
【００１８】
軟質シート５は、着脱手段３、４のつけ根の位置に浅い切り目を入れておくと、図１２のような角張った折り曲げが可能となり、軟質シート５で長円状に形成できるが、切り目を入れない場合は、図７、図１０のような緩やかな曲面となり、偏平状の連結状態となる。
【００１９】
図１３のように着脱手段３、４は、軟質シート５の両端の内外に互い違いに取り付ける事も可能である。この場合は、図１４や図１５のように、固着部付きリール１、２（又はクランク状体６、７）を内側にして環状に折り曲げると共に、外面の着脱手段４に内面の着脱手段３を重ねて連結する。
なお、図１では固着部付きリール１、２のフランジ１ａ、２ａは円状になっているが、図１３のように内側の不要部を切除して、外側のみの半円状にしてもよい。
【産業上の利用可能性】
【００２０】
以上のように、本発明によると、一対のリールやクランク状の巻きつけ具を内面に取付けた軟質シートを用いて、前記巻きつけ具にイヤホンコードを巻き付けた状態で包み込むように二つ折り又は環状に着脱手段で連結して携帯するので、イヤホンコードが絡んだり損傷・断線するのを防止でき、外観を損なうこともなく、小型安価に製造し提供できる。  従って、本発明は、携帯用オーディオプレイヤー以外の用途のイヤホンコードの巻き付けにも利用できる。
【符号の説明】
【００２１】
１・２  固着部付きリール
１ａ・２ａ  フランジ
３・４  着脱手段
５  軟質シート
ｈ・ｈ１・ｈ２  プラグ挿通孔
ｐ  プラグ
ｋ  イヤホンコード
ｉ  イヤホン
６・７  クランク状体
１０  切れ込み
１１  小孔
【図１】
2011211469.tif 000003
【図２】
2011211469.tif 000004
【図３】
2011211469.tif 000005
【図４】
2011211469.tif 000006
【図５】
2011211469.tif 000007
【図６】
2011211469.tif 000008
【図７】
2011211469.tif 000009
【図８】
2011211469.tif 000010
【図９】
2011211469.tif 000011
【図１０】
2011211469.tif 000012
【図１１】
2011211469.tif 000013
【図１２】
2011211469.tif 000014
【図１３】
2011211469.tif 000015
【図１４】
2011211469.tif 000016
【図１５】
2011211469.tif 000017
【手続補正書】
【提出日】平成22年9月21日(2010.9.21)
【手続補正１】
【補正対象書類名】特許請求の範囲
【補正対象項目名】全文
【補正方法】変更
【補正の内容】
【特許請求の範囲】
【請求項１】
イヤホンコードの巻き付け具を内面に有する軟質シートに、イヤホンコードのプラグを挿通するための切れ込み及び／又は孔を開けると共に、前記軟質シートの端縁から切れ込みを入れて、イヤホンコードを狭持可能としたことを特徴とするイヤホンコード巻き付け収納装置。
【請求項２】
二つ折り又は環状に連結するための着脱手段を有することを特徴とする請求項１に記載のイヤホンコード巻き付け収納装置。
【請求項３】
間隔を置いて設けた一対のリール又はクランク状体の巻き付け具が、溶着、接着又は加締めなどの固着手段によって前記の軟質シート内面に取り付け固定されていることを特徴とする請求項１または請求項２に記載のイヤホンコード巻き付け収納装置。
【手続補正２】
【補正対象書類名】明細書
【補正対象項目名】０００６
【補正方法】変更
【補正の内容】
【０００６】
イヤホンコードの巻き付け具を内面に有する軟質シートに、イヤホンコードのプラグを挿通するための切れ込み及び／又は孔を開けてあるので、プラグを外に出した状態でイヤホンコードを軟質シート内に収納でき、さらにプラグを前記軟質シートの外に出すことでプラグを機器に素早く差し込んでの使用が可能である。また、前記軟質シートの端縁から切れ込みを入れて、イヤホンコードを狭持可能にしたので、イヤホンコードを解いて使用する際のイヤホンコードの緩みを防止することができる。
【手続補正３】
【補正対象書類名】明細書
【補正対象項目名】０００７
【補正方法】変更
【補正の内容】
【０００７】
イヤホンコードを巻き付ける巻き付け具を内側にして二つ折り又は環状に連結するための着脱手段を有する前記軟質シートとすることで、イヤホンコードを保護し、イヤホンコードを損傷や断線から防止することができる。
【手続補正４】
【補正対象書類名】明細書
【補正対象項目名】０００８
【補正方法】変更
【補正の内容】
【０００８】
イヤホンコードを巻き付ける巻き付け具は、間隔を置いて設けた一対のリール又はクランク体が、溶着、接着又は加締めなどの固着手段によって前記の軟質シート内面に取り付け固定されている。前記軟質シートの内側に固定された一対のリールやクランク体にイヤホンコードを巻き付けるため、特許文献１のように機器収納ケース外面で４か所に巻き付ける構造に比べて、小型化されると共に、イヤホンコードを露出すること無く巻き付ける事もできるため、見栄えがよい。
【手続補正書】
【提出日】平成22年12月28日(2010.12.28)
【手続補正１】
【補正対象書類名】特許請求の範囲
【補正対象項目名】全文
【補正方法】変更
【補正の内容】
【特許請求の範囲】
【請求項１】
イヤホンコードの巻き付け具を内面に設けた状態で二つ折り又は環状に連結する軟質シートに、イヤホンコードのプラグを挿通するための切れ込み及び／又は孔を開け、しかも前記軟質シートの端縁から切れ込みを入れて、イヤホンコードを狭持可能としたことを特徴とするイヤホンコード巻き付け収納装置。
【請求項２】
二つ折り又は環状に連結するための着脱手段を前記軟質シートに設けたことを特徴とする請求項１に記載のイヤホンコード巻き付け収納装置。
【請求項３】
間隔を置いて設けた一対のリール又はクランク状体の巻き付け具が、溶着、接着又は加締めなどの固着手段によって前記の軟質シート内面に取り付け固定されていることを特徴とする請求項１または請求項２に記載のイヤホンコード巻き付け収納装置。
【手続補正２】
【補正対象書類名】明細書
【補正対象項目名】０００６
【補正方法】変更
【補正の内容】
【０００６】
請求項１の記載によると、イヤホンコードの巻き付け具を内面に設けた状態で二つ折り又は環状に連結する軟質シートに、イヤホンコードのプラグを挿通するための切れ込み及び／又は孔を開けてあるので、プラグを外に出した状態でイヤホンコードを軟質シート内に収納でき、さらにプラグを前記軟質シートの外に出すことでプラグを機器に素早く差し込んでの使用が可能である。また、前記軟質シートの端縁から切れ込みを入れて、イヤホンコードを狭持可能にしたので、イヤホンコードを解いて使用する際のイヤホンコードの緩みを防止することができる。
【手続補正３】
【補正対象書類名】明細書
【補正対象項目名】０００７
【補正方法】変更
【補正の内容】
【０００７】
請求項２に記載のように、二つ折り又は環状に連結するための着脱手段を前記軟質シートに設けてあると、イヤホンコードを保護し、イヤホンコードを損傷や断線から防止することができる。
【手続補正４】
【補正対象書類名】明細書
【補正対象項目名】０００８
【補正方法】変更
【補正の内容】
【０００８】
請求項３に記載のように、間隔を置いて設けた一対のリール又はクランク状体の巻き付け具が、溶着、接着又は加締めなどの固着手段によって前記の軟質シート内面に取り付け固定されている。このように、前記軟質シートの内側に固定された一対のリールやクランク体にイヤホンコードを巻き付けるため、特許文献１のように機器収納ケース外面で４か所に巻き付ける構造に比べて、小型化されると共に、イヤホンコードを露出すること無く巻き付ける事もできるため、見栄えがよい。